(57)【要約】【課題】従来の電池ホルダの操作感覚を損なうことなく、耐久性に優れた防水機能を発揮することができる電池収納部の防水構造を提供する。【解決手段】回動自在な電池ホルダ８を開状態にしてボタン形の空気電池４を電池ホルダ８に保持させた後に、電池ホルダ８を閉状態にしてにボタン形の空気電池４を収納する電池収納部５の防水構造であって、電池ホルダ８が電池ホルダコア１１と、この電池ホルダコア１１を覆うと共にボタン形の空気電池４をカバーして保持する弾性カバー部材１２から形成された。【選択図】        図２
2004227980.tif 000002
【特許請求の範囲】
【請求項１】
回動自在な電池ホルダを開状態にしてボタン形電池を電池ホルダに保持させた後に、電池ホルダを閉状態にしてにボタン形電池を収納する電池収納部の防水構造であって、前記電池ホルダが電池ホルダコアと、この電池ホルダコアを覆うと共に前記ボタン形電池をカバーして保持する弾性カバー部材から形成されたことを特徴とする電池収納部の防水構造。
【発明の詳細な説明】
【０００１】
【発明の属する技術分野】
本発明は、例えば補聴器に適用するボタン形の電池を収納する電池収納部の防水構造に関する。
【０００２】
【従来の技術】
従来、電池収納部の防水構造としては、耳かけ式補聴器の電池装置において、電池ホルダの開口部にパッキンを装着し、電池ホルダを閉じることにより電池ホルダのパッキンがケース本体の下端部に押圧され、防水シールを確保するようにしたものが知られている（例えば、特許文献１参照）。
また、挿耳形補聴器においては、電池収納部の防水構造自体が考えられていなかった。
【０００３】
【特許文献１】
実公平３−６０７６号公報（第３−４頁、第１図）
【０００４】
【発明が解決しようとする課題】
しかし、パッキンを用いた実公平３−６０７６号公報に記載の電池収納部の防水構造では、設置スペースなどの関係から挿耳形補聴器に適用できないという問題がある。
また、電池収納部の防水構造自体が考えられていなかった挿耳形補聴器においても、その使用環境から電池収納部の防水構造の必要性が叫ばれている。
【０００５】
本発明は、従来の技術が有するこのような問題点に鑑みてなされたものであり、その目的とするところは、従来の電池ホルダの操作感覚を損なうことなく、耐久性に優れた防水機能を発揮することができる電池収納部の防水構造を提供しようとするものである。
【０００６】
【課題を解決するための手段】
上記課題を解決すべく本発明は、回動自在な電池ホルダを開状態にしてボタン形電池を電池ホルダに保持させた後に、電池ホルダを閉状態にしてにボタン形電池を収納する電池収納部の防水構造であって、前記電池ホルダが電池ホルダコアと、この電池ホルダコアを覆うと共に前記ボタン形電池をカバーして保持する弾性カバー部材から形成されたものである。
【０００７】
【発明の実施の形態】
以下に本発明の実施の形態を添付図面に基づいて説明する。ここで、図１は本発明に係る電池収納部の防水構造を適用した電池ホルダが開状態の挿耳形補聴器の斜視図、図２は挿耳形補聴器の部分断面斜視図、図３は挿耳形補聴器の横断面図、図４は挿耳形補聴器の縦断面図である。
【０００８】
本発明に係る電池収納部の防水構造を適用した挿耳形補聴器は、図１又は図２に示すように、樹脂製のシェル１とフェースプレート２でケース体３を形成し、ケース体３の内部にボタン形の空気電池４を収納する電池収納部５を設けている。更に、ケース体３の内部には、マイクロホン、補聴処理部やイヤホンなどの補聴器を構成する部品（不図示）が配設されている。
【０００９】
フェースプレート２には、電池収納部５に空気電池４を装填するための開口部６が形成され、更に図３に示すように、開口部６の縁部近傍に形成された軸部材７には、空気電池４を保持して電池収納部５に収納する電池ホルダ８が回動自在に取り付けられている。なお、図４に示す９，１０は、電池収納部５に配設された電池接片である。
【００１０】
電池ホルダ８は、図３及び図４に示すように、樹脂製の電池ホルダコア１１と、電池ホルダコア１１の表面全体を被覆すると共に空気電池４の一部をカバーして保持する弾性カバー部材１２からなる。
【００１１】
電池ホルダコア１１は、空気電池４の外周面４ａに沿って周設される壁面部１１ａと、軸部材７と係合する回動溝１１ｂと、指先を引っ掛けて電池ホルダ８を開状態にするための突起部１１ｃを備えている。
【００１２】
壁面部１１ａは、空気電池４を確実に保持すべく空気電池４の外周の半周分を超えるように形成されている。そして、空気電池４は、主に壁面部１１ａの両端部１１ｄ，１１ｅで保持される。
【００１３】
弾性カバー部材１２は、電池ホルダコア１１の表面全体を被覆する他に、空気電池４の上面４ｂに当接する底部材１２ａと、空気電池４の底面４ｃに当接する底部材１２ｂと、フェースプレート２の開口部６の縁部に当接する縁部材１２ｃを備えている。
【００１４】
そして、底部材１２ａと底部材１２ｂとで、空気電池４の着脱を妨げない程度に空気電池４の上面４ｂと底面４ｃをカバーすると共に、空気電池４を挟持して保持する。また、縁部材１２ｃは、電池ホルダ８が閉状態の時に開口部６を密閉すると共に、電池ホルダ８が電池収納部５に必要以上に入り込まないようにストッパの役割をする。
【００１５】
また、電池ホルダ８を閉状態にした場合には、弾性カバー部材１２で被覆された壁面部１１ａが開口部６を覆って電池収納部５の蓋体の役目を果たす。
【００１６】
以上のように構成した本発明に係る電池収納部の防水構造の作用について説明する。空気電池４を電池収納部５に装填する場合には、先ず電池ホルダ８を開状態にして空気電池４を電池ホルダコア１１に保持させた後に、図３及び図４に示すように、電池ホルダ８を閉状態にする。
【００１７】
電池ホルダ８を閉状態にすると、弾性カバー部材１２は、フェースプレート２の開口部６と電池ホルダコア１１との間に縮装され、パッキンとして作用する。そして、フェースプレート２の開口部６は、パッキンとして作用する弾性カバー部材１２により完全に密閉される。
【００１８】
また、弾性カバー部材１２が電池ホルダ８の構成部品の一部として形成されているので、電池ホルダ８は従来の電池ホルダと同様な操作感覚を得ることができる。
このような弾性カバー部材１２の働きにより、従来の操作感覚を損なうことなく、確実で且つ耐久性に優れた電池収納部５の防水構造を実現することができる。
【００１９】
なお、本発明の実施の形態においては、本発明に係る電池収納部の防水構造を挿耳形補聴器に適用した場合について説明した。しかし、本発明はボタン形電池を使用するのであれば、挿耳形補聴器以外の補聴器、更にその他の電子機器にも適用できる。
【００２０】
【発明の効果】
以上説明したように本発明によれば、従来の電池ホルダの操作感覚を損なうことなく、確実で且つ耐久性に優れた電池収納部の防水構造を実現することができる。
【図面の簡単な説明】
【図１】本発明に係る電池収納部の防水構造を適用した電池ホルダが開状態の挿耳形補聴器の斜視図
【図２】挿耳形補聴器の部分断面斜視図
【図３】挿耳形補聴器の横断面図
【図４】挿耳形補聴器の縦断面図
【符号の説明】
１…シェル、２…フェースプレート、３…ケース体、４…ボタン形の空気電池、５…電池収納部、８…電池ホルダ、１１…電池ホルダコア、１２…弾性カバー部材。
【図１】
2004227980.tif 000003
【図２】
2004227980.tif 000004
【図３】
2004227980.tif 000005
【図４】
2004227980.tif 000006